(57)【要約】【課題】デジタルデータにより画像・文字・記号やマークなどを含む剥離層をインクジェットプリンタにより、有価証券、磁気カードなどのシート基材面に大きさや形状などを自由に変えて容易にシャープに形成できるインクジェットインク、それを用いた剥離シートおよび剥離シートの作成法の提供。【解決手段】剥離剤を主として含むインクジェットインクを用い、インクジェット方式によりシート基材面の所定部に剥離層を形成してなる剥離シートにより課題を解決できる。【選択図】　　　図１
2004083760.tif 000002
【特許請求の範囲】
【請求項１】
剥離剤を主として含むことを特徴とする剥離剤含有インクジェットインク。
【請求項２】
シート基材面の所定部に、請求項１記載の剥離剤含有インクジェットインクを用いて形成された剥離層を有することを特徴とする剥離シート。
【請求項３】
前記剥離層が文字、図形、記号などの情報を含むことを特徴とする請求項２記載の剥離シート。
【請求項４】
請求項１記載の剥離剤含有インクジェットインクを用い、インクジェット方式によりシート基材面の所定部に剥離層を形成することを特徴とする剥離シートの作成法。
【発明の詳細な説明】
【０００１】
【発明の属する技術分野】
本発明は、剥離剤含有インクジェットインクおよびそれを用いた剥離シート、および剥離シートの作成法に関するものである。
【０００２】
【従来の技術】
従来、記録済み用紙などから、トナーなどの像形成物質を除去する、像形成物質除去方法や像形成物質除去装置が多数提案されている。
例えば、特開平１−１０１５７６号公報には、トナーを付着された用紙をトナー樹脂の可溶性溶剤中に浸漬させながら超音波振動させ、前記トナーを前記可溶性溶剤に溶解させて用紙面から遊離させる像形成物質除去装置が提案されている。
また、特開平４−３００３９５号公報には、記録済み用紙の印字部分に溶剤を浸漬、噴霧または塗布などにより付着させてトナーを溶解し、溶解したトナーを洗浄、エアー吸引、吸着剤接触または静電気吸着などによって除去する像形成物質除去方法が提案されている。
また、特開平２−５５１９５号公報には、支持体上に離型剤を塗布した後、電子写真方式または熱転写方式により熱溶融性インクまたはトナーを付与された像保持体としての印刷体を、インク剥離体に重ね合わせながら加熱ローラと加圧ローラとの間に通し、冷却後にインク剥離体から剥がすことにより、前記印刷体上の熱溶融性インクまたはトナーを、前記インク剥離体に付着させる像形成物質除去方法が提案されている。
また、特開平４−６４４７２号公報には、少なくとも、表面に熱溶融性樹脂を有するエンドレスシートと、これを支えて回転させる熱ローラ及び冷却ローラと、表面に離型処理を施した紙（イレーザブルペーパ）を軟化または溶融した熱溶融性樹脂に押し付ける押圧ローラと、これらを運動して駆動する駆動部とからなるイレーザが提案されている。
また、特開平４−８２９８３号公報には、互いに圧接して回転し、圧接箇所に紙を通過させる２本の平行に設けられたローラと、前記２本のローラの少なくとも一方を加熱するヒータと、前記圧接箇所を通過した紙を前記ローラから分離する掻取具と、前記ローラに付着した像形成物質を前記ローラから除去する剥離装置とを備える像形成物質除去装置が提案されている。
【０００３】
以上の像形成物質除去方法または像形成物質除去装置において、特開平１−１０１５７６号公報や特開平４−３００３９５号公報のように溶剤を使用するものには、次のような不具合がある。
即ち、超音波振動、洗浄、エアー吸引、吸着剤接触または静電気吸着などに長時間を要し、また、操作が繁雑となるので非効率的である。
また、特開平２−５５１９５号公報、特開平４−６４４７２号公報及び特開平４−８２９８３号公報などの像形成物質除去方法または像形成物質除去装置のように溶剤を使用せず表面に紙繊維が露出している普通紙に用いると、次のような不具合を生ずる。
即ち、この種の普通紙は、一般に熱溶融性樹脂を主成分とする像形成物質が画像形成装置の定着工程で融着などにより繊維に強固に固着されているので、表面の像形成物質を除去する際に、同時に表面の紙繊維が剥ぎ取られて紙質が損なわれてしまう。また、像形成物質の除去性を高めるために、上記インク剥離体、エンドレスシートまたはローラの上に熱や圧力を加える場合、条件によっては、逆に像形成物質と像保持体との間の定着性を高めてしまって、除去を困難にする場合がある。
【０００４】
一方、像保持体からの像形成物質の除去において、像保持体上の画像の必要な部分をそのまま残し、他の部分の画像を形成する像形成物質のみを除去して前記像保持体を再利用したい場合がある（以下、画像から部分的に像形成物質を除去することを部分除去と称する）。　このような部分除去を実現するために、特開平７−６８９９４号公報においては、像保持体上に形成された像形成物質による画像の一部に処理液を塗布する処理液塗布ペンを提案している。この処理液塗布ペンによれば、像保持体上の一部の画像のみに処理液を塗布できるので、前記塗布の後に、処理液を付与する手段を備えていない剥離装置で前記像保持体を剥離処理することにより、部分除去を行うことができる。
【０００５】
また、特開平７−３０６６１３号公報においては、予め部分的に処理液を付与した記録紙を通紙した場合に、像保持体への処理液付与を停止することにより、処理液塗布済みの像保持体、及び、処理液未塗布の像保持体から像形成物質を除去することができる像形成物質除去装置を提案している。この装置によれば、全面および部分除去を１台の装置で行うことができる。しかし、この装置で部分除去を行う場合には、予め処理液塗布ペン、または、処理液を部分的に付与することができる専用処理液付与装置などで、処理液を部分的に付与しておく必要があり、処理液塗布ペンによる液塗布に長時間を要したり、専用処理液付与装置を設けることで装置を複数台化したりするという不具合を生ずる。
【０００６】
また、特開平７−２７１２５２号公報において、像保持体上の領域を指定し、前記指定した領域の外側あるいは内側の画像を読み取り、読み取った画像のデータを記憶した後、前記像保持体上の画像を消去し、さらに、前記記憶した画像のデータに基づいて、前記像保持体に画像を形成させる像保持体の再使用方法及びその装置が提案されている。この方法及び装置によれば、全面及び部分除去を１台の装置で行うことができる。しかし、この装置は、内部に画像形成装置を設けているので、大型且つ高価であるという不具合がある。
【０００７】
また、特開平７−５６４７６号公報は、像形成物質による画像が形成されている像保持体に対し、ディジタイザなどで除去領域を指定し、この除去領域のデータに基づいてジェットノズルなどを用いて前記指定領域のみに処理液を付与した後、前記像保持体と剥離部材とを圧接・分離することにより前記像形成物質を前記像保持体から剥離処理する像形成物質除去装置を提案している。この装置によれば、全面及び部分除去を１台の装置で行え、且つ、装置が大型化することもない。
しかし、上記特開平７−５６４７６号公報の像形成物質除去装置を用いて部分除去を行う場合に、次の３つの問題を生ずる。
まず第１の問題点は、部分除去を行う場合に、除去したくない部分の画像を薄くしたり、部分的に欠損させたりすることである。
第２の問題点は、全面除去を行うときよりも、装置内部での像保持体としての用紙のジャムが多く、また、除去処理後における像保持体の品質低下が大きいことである。
第３の問題点は、全面除去を行うときよりも、除去処理後の像保持体に伸び、しわ、波打ち及びカールなどを多く発生させることである。
【０００８】
また、特開平１１−２０２７０４号公報には、熱溶融性または熱可塑性の像形成物質からなる画像が形成されている画像保持体における前記画像の一部の領域を指定する領域指定工程と、指定した領域の内側または外側で画像を形成している像形成物質を前記像保持体から除去する除去工程とを有する画像保持体からの像形成物質除去方法であって、前記除去工程の前に、除去しない方の領域の像形成物質を前記像保持体から除去し難くする保護処理を施す保護工程を有することが記されている。この保護剤としてシリコーンオイルを用いることが特徴として挙げられている。そしてこのシリコーンオイルを画像の一部の領域に選択的に付与する手段として、液滴の状態で飛翔させるインクジェットを用いることを特徴とするものである。
何れにしろ、従来の方法は、画像を除去するために除去装置を使用するため、簡便に使用することは不可能であった。
【０００９】
【発明が解決しようとする課題】
従来、シート基材上にシリコーン系剥離剤やフッ素系剥離剤、アルキルペンダント系剥離剤、長鎖アルキル系剥離剤などの水性インク（エマルジョン型を含む）や紫外線硬化型インクなどの剥離剤を塗布した剥離層を有するシートは剥離紙、粘着紙テープや宅配伝票などの記録シートとして広く使用されているが、剥離剤を含む印刷インクを用いてシート基材表面に印刷により剥離層を形成する方法は、版が必要なために大きさや形状などを自由に変えた剥離層を容易に形成することができず、オンデマンドで少量・多種類の注文に応じることができないという問題があった。
【００１０】
一方、シート基材上に印刷された文字などの情報を剥離用インク（スクラッチインクという）で覆い、文字などの情報を見たりあるいはその有無を確認するような場合は、爪やコインなどで文字などの情報を覆っていた剥離用インクを除去すると、シート基材上に印刷された文字などを見ることができるようにしたいわゆる「スクラッチ印刷」があるが、従来の像形成物質除去方法や像形成物質除去装置は操作が煩雑で時間がかかり非効率的なものであるので、「スクラッチ印刷」を代替できるものではなかった。
【００１１】
本発明の第１の目的は、このような従来の問題を解決し、剥離層の形成に従来の印刷方法を使用せず、無版方式で、デジタルデータにより大きさや形状などを自由に変えた剥離層を形成でき、オンデマンドで少量・多種類の注文に応じることができるインクジェットインクを提供することであり、
本発明の第２の目的は、そのようなインクジェットインクを用いて、シート基材面にデジタルデータにより剥離層を形成した剥離シートを提供することであり、
本発明の第３の目的は、そのような剥離シートを容易に作成する方法を提供することである。
【００１２】
【課題を解決するための手段】
本発明者等は前記課題を解決すべく鋭意研究を重ねた結果、前記のような剥離剤を主として含むインクジェットインクを用いることにより、その目的を達成し得ることを見い出して本発明を完成するに至った。
【００１３】
本発明の請求項１は、剥離剤を主として含むことを特徴とする剥離剤含有インクジェットインクである。
【００１４】
本発明の剥離剤含有インクジェットインクを用いることにより、版を用いる従来の印刷方法を使用せず、印字すべき画像・文字・記号やマークなどを含む剥離層を電子信号画像信号にて形成し、形成した電子信号画像信号に基づいてインクジェットプリンタにより、領収書、有価証券、磁気カード、ＩＣカード、リライトカード、タグ、ラベル、フォーム、葉書、封筒、隠蔽層を容易に除去できるスクラッチ隠蔽物として、小規模小売店のスクラッチクジ、シュリンクラップラベル、ＤＭのギミック、改ざん防止アンダー層（例えば淡色で数字印字部の下に地紋を形成し、文字を改ざんしようとすると地紋も剥がれてしまう）などのシート基材面の所定部にそのような剥離層を容易にシャープに形成できる。また、画像の改ざん保護層、画像の耐擦れ保護層、擬似接着剤を使ったクジ、シュリンクラップラベル、耐水保護層等を、オンデマンドで簡単に形成できる。インクジェットプリンタを用いるので大量生産に応じることもできる上、オンデマンドで少量・多種類の注文にも応じることもでき、しかも、デジタルデータにより大きさや形状などを自由に変えた画像・文字・記号やマークなどを含む剥離層をシート基材面の所定部に容易に形成できる。
【００１５】
本発明の請求項２は、シート基材面の所定部に、請求項１記載の剥離剤含有インクジェットインクを用いて形成された剥離層を有することを特徴とする剥離シートである。
【００１６】
本発明の剥離シートは、領収書、有価証券、磁気カード、ＩＣカード、リライトカード、タグ、ラベル、フォーム、葉書、封筒、隠蔽層を容易に除去できるスクラッチ隠蔽物として、小規模小売店のスクラッチクジ、シュリンクラップラベル、ＤＭのギミック、改ざん防止アンダー層（例えば淡色で数字印字部の下に地紋を形成し、文字を改ざんしようとすると地紋も剥がれてしまう）や、画像の改ざん保護層、画像の耐擦れ保護層、擬似接着剤を使ったクジ、シュリンクラップラベル、耐水保護層等を、オンデマンドで簡単に形成できるなどのシート基材面の所定部に本発明の剥離剤含有インクジェットインクを用いて形成された剥離層を有する剥離シートであり、構成が簡単で安価であり、剥離層はインクジェットプリンタを用いて形成されるので大量生産に応じることもできる上、オンデマンドで少量・多種類の注文にも応じることもでき、しかも、デジタルデータにより大きさや形状などを自由に変えることができる。
【００１７】
また、剥離層は剥離性に優れ、剥離層の上に複写機、各種プリンタ、ＦＡＸ、印刷機などの画像形成装置を用いて形成された紫外線硬化型、酸化重合型、熱溶融型、熱可塑性型などの像形成物質からなる皮膜などを容易に除去することができるので、いわゆる従来の「スクラッチ印刷」を代替できる。
例えば、水性染料などを配合して有色とした本発明の剥離剤含有インクジェットインクを用いてシート基材面の所定部に文字、図形、記号などの情報を含む剥離層を形成し、そしてこの剥離層の上に剥離用インク（スクラッチインク）からなる皮膜を形成しておき、文字などの情報を見たりあるいはその有無を確認するような場合は、爪やコインなどで皮膜を除去すると、シート基材上に形成された文字などの情報を見ることができる。
【００１８】
また、剥離層を透明な剥離剤を用いて形成すれば、形成された剥離層が視認困難あるいは視認不能であるので、偽造防止に使用できる。例えば剥離層の表面の光沢、表面粗さなどを目視または検知器で検知したり、あるいは水性ペンで剥離層表面には記入できないがシート基材面には記入できることを利用して、剥離層が形成されているかどうかを判定するなどすることにより、領収書、有価証券、磁気カード、ＩＣカード、リライトカード、タグ、ラベル、フォーム、葉書、封筒などが偽造されたものであるかどうかを知ることができる。
【００１９】
本発明の請求項３は、請求項２記載の剥離シートにおいて、前記剥離層が文字、図形、記号などの情報を含むことを特徴とする。
【００２０】
剥離層が文字、図形、記号などの情報を含むと、例えば剥離層の上に複写機、各種プリンタ、ＦＡＸ、印刷機などの画像形成装置を用いて形成される紫外線硬化型、酸化重合型、熱溶融型、熱可塑性型などの像形成物質からなる皮膜などを除去した際に、文字、図形、記号などの情報を目視可能にできるので、いわゆる従来の「スクラッチ印刷」を代替できる。また、偽造防止にもより効果的に使用できる。
【００２１】
本発明の請求項４は、請求項１記載の剥離剤含有インクジェットインクを用い、インクジェット方式によりシート基材面の所定部に剥離層を形成することを特徴とする剥離シートの作成法である。
【００２２】
インクジェット方式を用いるので大量生産に応じることができる上、オンデマンドで少量・多種類の注文にも応じることもでき、しかも、デジタルデータにより大きさや形状などを自由に変えた画像・文字・記号やマークなどを含む剥離層をシート基材面の所定部に容易に形成できる。
【００２３】
【発明の実施の形態】
以下本発明を詳細に説明する。
図１（イ）〜（ハ）は本発明の剥離剤含有インクジェットインクによる剥離層が形成されてなる剥離シートおよびその使用の一実施例を示す説明図である。
図２（イ）〜（ロ）は本発明の剥離剤含有インクジェットインクによる剥離層が形成されてなる他の剥離シートおよびその使用例を示す説明図である。
図３（イ）〜（ハ）は本発明の剥離剤含有インクジェットインクによる剥離層が形成されてなる他の剥離シートおよびその使用例を示す説明図である。
【００２４】
図１（イ）に示すように、本発明の剥離シート１Ａは、シート基材２面の所定部に、水性染料などを配合した有色の本発明の剥離剤含有インクジェットインクを用いて図示しないインクジェットプリンタにより文字、図形、記号などの情報を含む剥離層３が形成されている。
そして、図１（ロ）に示すように、この剥離層３の上に剥離層３全部を覆うように不透明性を有する剥離用インク（スクラッチインク）からなる皮膜４が形成されている。したがって皮膜４を通して下部の文字、図形、記号などの情報を含む剥離層３を視認できない。皮膜４の形成法は特に限定されず、複写機、各種プリンタ、ＦＡＸ、印刷機などの公知の画像形成装置を用いて形成することもできる。
そして図１（ハ）に示すように、文字、図形、記号などの情報を含む剥離層３を見たりあるいはその有無を確認する場合は、図示しない爪やコインなどで皮膜４を擦ると皮膜４が除去され、特に文字、図形、記号などの情報を含む剥離層３上に形成された皮膜４は容易に除去されるので、シート基材２上に形成された文字などの情報を見ることができる。
シート基材２は、例えば領収書、有価証券、磁気カード、ＩＣカード、リライトカード、タグ、ラベル、フォーム、葉書、封筒などである。文字、図形、記号などの情報を含む剥離層３はインクジェットプリンタを用いて形成されるので大量生産に応じることもできる上、オンデマンドで少量・多種類の注文にも応じることもでき、しかも、デジタルデータにより大きさや形状などを自由に変えることができる。
【００２５】
図２（イ）に示すように、本発明の剥離シート１Ｂはシート基材２面の所定部に、透明な本発明の剥離剤含有インクジェットインクを用いて図示しないインクジェットプリンタにより文字、図形、記号などの情報を含む剥離層３Ａが形成されている。剥離層３Ａが透明な剥離剤を用いて形成されているの、形成された剥離層３Ａの文字、図形、記号などの情報は視認困難あるいは視認不能である。本発明の剥離シート１Ｂは、例えば偽造防止に使用できる。
図２（ロ）に示すように、例えば水性ペンで本発明の剥離シート１Ｂ表面に水性インク５を塗布すると、水性インク５は剥離層３Ａ面には塗布できないが、剥離層３Ａと剥離層３Ａとの間などシート基材２面には水性インク５を塗布できるので、それにより領収書、有価証券、磁気カード、ＩＣカード、リライトカード、タグ、ラベル、フォーム、葉書、封筒などが偽造されたものであるかどうかを知ることができる。
【００２６】
図３（イ）に示すように、本発明の剥離シート１Ｃはシート基材２面の所定部に、通常の印刷インクや通常のインクジェットインクを用いて文字６、図形７などがカラー印刷されているとともに、３個の枠８Ａ、８Ｂ、８Ｃが印刷されている。そして、この枠８Ａ〜８Ｃのそれぞれの中の数字３、数字１、数字４自体を除いた部分に図示しないインクジェットプリンタにより透明な本発明の剥離剤含有インクジェットインクがベタ印字されて剥離層９が形成されている。すなわち数字３、数字１、数字４自体には本発明の剥離剤含有インクジェットインクが印字されていない。
【００２７】
そして図３（ロ）に示すように、図示しない複写機、各種プリンタ、ＦＡＸ、印刷機などの画像形成装置を用いて紫外線硬化型、酸化重合型、熱溶融型、熱可塑性型などの像形成物質からなる皮膜１０で３個の枠８Ａ、８Ｂ、８Ｃを覆っておく。
【００２８】
そして図３（ハ）に示すように、枠内の数字を見たりあるいはその有無を確認するような場合は、例えば、枠８Ａに示したように、図示しない爪やコインなどで皮膜１０を擦ると剥離層９面に形成された皮膜１０は簡単に除去されるが、数字３自体に入った像形成物質はシート基材２によく接着しているので簡単には除去されずに残るので数字３を目視できる。
【００２９】
本発明の剥離剤含有インクジェットインクにおいて用いるビヒクルは、通常のインクジェットインクのビヒクルとして用いられているビヒクルを用いることができる。
通常のインクジェットインクとしては、たとえば特開平７−２２８８０８号公報、同７−２２８８０９号公報に記載されており、このインクに使用するビヒクルとしては、水単独、あるいは水と水溶性有機溶媒との混合溶媒などが挙げられる。
【００３０】
ビヒクルの他の例として、沸点１００℃以上のグリコール系溶剤を主として含有するビヒクルを挙げることができる。
グリコール系溶剤としては、例えばグリコール（グリセリン、エチレングリコール、ジエチレングリコール、トリエチレングリコール、ポリエチレングリコール、プロピレングリコール、ジプロピレングリコール）やグリコール誘導体（エチレングリコールモノメチルエーテル、エチレングリコールモノエチルエーテル、エチレングリコールモノブチルエーテル、ジエチレングリコールモノエチルエーテル、ジエチレングリコールモノブチルエーテル、エチレングリコールモノエチルエーテルアセテート、エチレングリコールモノブチルエーテルアセテート、ジエチレングリコールモノエチルエーテルアセテート、ジエチレングリコールモノブチルエーテルアセテート）など、およびこれらの２つ以上の混合物を挙げることができる。
【００３１】
本発明の剥離剤含有インクジェットインクにおいて用いる剥離剤としては、具体的には、例えば公知のシリコーン系剥離剤、フッ素系剥離剤、アルキルペンダント系剥離剤、長鎖アルキル系剥離剤などの水性インク（エマルジョン型を含む）や水溶性有機溶媒インク（エマルジョン型を含む）、紫外線硬化型インクなどの剥離剤を挙げることができる。
【００３２】
他の剥離剤としては、剥離性微粉体を挙げることができる。剥離性微粉体の具体例としては、例えば、４フッ化エチレン樹脂などの微粉体では、ＫＴ−３００Ｍ、ＫＴ−４００Ｈ、ＫＴＬ−４５０、ＫＴＬ−８Ｆ、ＫＴＬ−４Ｎ、ＫＴＬ−５００Ｆ、ＫＴＬ−３５０、ＫＴＬ−６１０、ＫＴＬ−８Ｎ（株式会社喜多村製）、無機担持材に各種シリコーンポリマーを高配合させながらパウダー化したトレフィルＦ−２０１、Ｆ−２０２、Ｆ−２０４、Ｆ−２５０、Ｆ−３００（東レ・ダウコーニング・シリコーン株式会社製）、シリコーンレジンを微粉末状にパウダー化したトレフィルＲ−９００、Ｒ−９０２Ａ、Ｒ−９１０（東レ・ダウコーニング・シリコーン株式会社製）、球状あるいは不定形に超微粒子化したシリコーンゴム弾性体であるトレフィルＥ−５００、Ｅ−５０５Ｃ、Ｅ−５０６Ｃ、Ｅ−６００、Ｅ−６０１、Ｅ−６０４、Ｅ−８５０（東レ・ダウコーニング・シリコーン株式会社製）などを挙げることができる。
これらは、単独で用いてもよいし、２種以上組み合わせて用いてもよい。
【００３３】
本発明の剥離剤含有インクジェットインクの具体例として、ビヒクルとして前記グリコール系溶剤を用い、剥離剤として剥離性微粉体を用いたものを例示できる。剥離性微粉体の配合量は特に限定されるものではないが、ビヒクル１００質量部に対して、剥離性微粉体を２０〜８０質量部、好ましくは３０〜７０質量部、より好ましくは４０〜６０質量部配合することが望ましい。２０質量部未満では剥離性が発揮できない恐れがあり、８０質量部を超えるとインクジェットインク適正が低下する恐れがあるので、いずれも好ましくない。
【００３４】
本発明の剥離剤含有インクジェットインクに、通常のインクジェットインクに用いられる、アントラキノン系、ベンゾキノン系、ナフトキシキノン系、キサンテン系、トリフェニルメタン系、キノリン系、インジゴイド系、アジン系、オキサジン系、チアジン系およびメチン系染料からなる群から選ばれた少なくとも１種のアニオン性インクなどの着色成分を添加して有色のインクとすることもできるが、これらの着色成分を添加せず透明なインクとして用いることもでき、目的に応じて選択して使用する。
【００３５】
本発明の剥離剤含有インクジェットインクに、必要に応じてさらにバインダー樹脂を配合することができる。さらにバインダー樹脂を配合することにより、形成された剥離層が擦れに強くなるので好ましい。
【００３６】
バインダー樹脂は、具体的には、例えば、アルブミン、ゼラチン、カゼイン、でんぷん、アラビアゴム、アルギン酸ソーダなどの天然樹脂、カルボキシメチルセルロース、ヒドロキシエチルセルロースなどのセルロース誘導体、ポリアミド、ポリアクリルアミド、ポリヒドロキシエチルメタクリレート、ポリフェニルアセトアセタール、ポリエチレンイミン、ポリビニルピロリドン、ポリビニルピリジウムハライド、メラミン樹脂、ポリウレタン、ポリビニルアルコールおよびその誘導体、ポリエステル、ポリアクリル酸ソーダ、アクリル酸エステル共重合体などの合成樹脂、ジメチルアミン・エピクロルヒドリン重縮合物、アクリルアミド・ジアリルアミン共重合物、ポリビニルアミン共重合物、ジシアンジアミド、ジメチル・ジアリル・アンモニウムクロライドを主成分とする化合物あるいはこれらの２種以上の混合物などのカチオン性樹脂、その他、電子線硬化型インク、紫外線硬化型インク、スルホン酸基、カルボキシル基、硫酸エステル基、燐酸エステル基などのアニオン性基を有する例えばロジン変成マレイン酸、ロジン変成フェノール樹脂などを挙げることができる。
【００３７】
本発明の剥離剤含有インクジェットインクに、必要に応じてさらに公知の添加剤を添加することができる。添加剤としては、例えばｐＨ調整剤、粘度調剤、表面張力調整剤（界面活性剤）、金属封鎖剤、防菌防カビ剤などを挙げることができる。
【００３８】
本発明で用いるシート基材の素材としては、ガラス繊維、アルミナ繊維、ポリエステル繊維、ポリアミド繊維などの無機または有機繊維からなる織布、不織布、マット、紙（例えば、上質紙、中質紙、合成紙、各種再生紙、アート紙、コート紙、ミラーコート紙、コンデンサー紙、パラフィン紙、その他の紙の他に、それにオーバーコート層（保護層）をもつ用紙など）あるいはこれらを組み合わせたもの、あるいはこれらに樹脂ワニスを含浸させて成形した複合シート、ポリアミド系樹脂シート、ポリエステル系樹脂シート、ポリオレフィン系樹脂シート、ポリイミド系樹脂シート、エチレン・ビニルアルコール共重合体シート、ポリビニルアルコール系樹脂シート、ポリ塩化ビニル系樹脂シート、ポリ塩化ビニリデン系樹脂シート、ポリスチレン系樹脂シート、ポリカーボネート系樹脂シート、アクリロニトリルブタジエンスチレン共重合系樹脂シート、ポリエーテルスルホン系樹脂シートなどのプラスチックシート、あるいはこれらにコロナ放電処理、プラズマ処理、紫外線照射処理、電子線照射処理、フレームプラズマ処理およびオゾン処理などの表面処理を施したもの、などの公知のものから選択して用いることができる。
【００３９】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００４０】
【発明の効果】
本発明の請求項１の剥離剤含有インクジェットインクは、剥離剤を主として含むインクジェットインクであり、版を用いる従来の印刷方法を使用せず、印字すべき画像・文字・記号やマークなどを含む剥離層を電子信号画像信号にて形成し、形成した電子信号画像信号に基づいてインクジェットプリンタにより、領収書、有価証券、磁気カード、ＩＣカード、リライトカード、タグ、ラベル、フォーム、葉書、封筒、隠蔽層を容易に除去できるスクラッチ隠蔽物として、小規模小売店のスクラッチクジ、シュリンクラップラベル、ＤＭのギミック、改ざん防止アンダー層（例えば淡色で数字印字部の下に地紋を形成し、文字を改ざんしようとすると地紋も剥がれてしまう）など、また、画像の改ざん保護層、画像の耐擦れ保護層、擬似接着剤を使ったクジ、シュリンクラップラベル、耐水保護層等を、オンデマンドで簡単に形成できるなどのシート基材面の所定部に剥離層を容易にシャープに形成でき、インクジェットプリンタを用いるので大量生産に応じることもできる上、オンデマンドで少量・多種類の注文にも応じることもでき、しかも、デジタルデータにより大きさや形状などを自由に変えた画像・文字・記号やマークなどを含む剥離層を容易に形成できるという顕著な効果を奏する。
【００４１】
本発明の請求項２は、シート基材面の所定部に、請求項１記載の剥離剤含有インクジェットインクを用いて形成された剥離層を有することを特徴とする剥離シートであり、領収書、有価証券、磁気カード、ＩＣカード、リライトカード、タグ、ラベル、フォーム、葉書、封筒、隠蔽層を容易に除去できるスクラッチ隠蔽物として、小規模小売店のスクラッチクジ、シュリンクラップラベル、ＤＭのギミック、改ざん防止アンダー層（例えば淡色で数字印字部の下に地紋を形成し、文字を改ざんしようとすると地紋も剥がれてしまう）などが形成でき、また、画像の改ざん保護層、画像の耐擦れ保護層、擬似接着剤を使ったクジ、シュリンクラップラベル、耐水保護層等を、オンデマンドで簡単に形成できる。などのシート基材面の所定部に本発明の剥離剤含有インクジェットインクを用いて形成された剥離層を有する構成を有するので、構成が簡単で安価であり、剥離層はインクジェットプリンタを用いて形成されるので大量生産に応じることもできる上、オンデマンドで少量・多種類の注文にも応じることもでき、しかも、デジタルデータにより大きさや形状などを自由に変えることができるという顕著な効果を奏する。
【００４２】
また、剥離層は剥離性に優れ、剥離層の上に複写機、各種プリンタ、ＦＡＸ、印刷機などの画像形成装置を用いて形成された紫外線硬化型、酸化重合型、熱溶融型、熱可塑性型などの像形成物質からなる皮膜などを容易に除去することができるので、いわゆる従来の「スクラッチ印刷」を代替できる。
例えば、水性染料などを配合して有色とした本発明の剥離剤含有インクジェットインクを用いてシート基材面の所定部に文字、図形、記号などの情報を含む剥離層を形成し、そしてこの剥離層の上に剥離用インク（スクラッチインク）からなる皮膜を形成しておき、文字などの情報を見たりあるいはその有無を確認するような場合は、爪やコインなどで皮膜を除去すると、シート基材上に形成された文字などの情報を見ることができる。
【００４３】
また、剥離層を透明な剥離剤を用いて形成すれば、形成された剥離層が視認困難あるいは視認不能であるので、偽造防止に使用できる。例えば剥離層の表面の光沢、表面粗さなどを検知したり、あるいは水性ペンで剥離層表面には記入できないことを利用して剥離層が形成されているかどうかを判定するなどすることにより、領収書、有価証券、磁気カード、ＩＣカード、リライトカード、タグ、ラベル、フォーム、葉書、封筒などが偽造されたものであるかどうかを知ることができる。
【００４４】
本発明の請求項３は、請求項２記載の剥離シートにおいて、前記剥離層が文字、図形、記号などの情報を含むので、例えば剥離層の上に複写機、各種プリンタ、ＦＡＸ、印刷機などの画像形成装置を用いて形成される紫外線硬化型、酸化重合型、熱溶融型、熱可塑性型などの像形成物質からなる皮膜などを除去した際に、文字、図形、記号などの情報を目視可能にでき、偽造防止にもより効果的に使用できるというさらなる顕著な効果を奏する。
【００４５】
本発明の請求項４は、請求項１記載の剥離剤含有インクジェットインクを用いインクジェット方式によりシート基材面の所定部に剥離層を形成することを特徴とする剥離シートの作成法であり、剥離シートの大量生産に応じることができる上、オンデマンドで少量・多種類の注文にも応じることもでき、しかも、デジタルデータにより大きさや形状などを自由に変えた画像・文字・記号やマークなどを含む剥離層をシート基材面の所定部に容易に形成できるという顕著な効果を奏する。
【図面の簡単な説明】
【図１】（イ）〜（ハ）は、本発明の剥離剤含有インクジェットインクによる剥離層が形成されてなる剥離シートおよびその使用の一実施例を示す説明図である。
【図２】（イ）〜（ロ）は本発明の剥離剤含有インクジェットインクによる剥離層が形成されてなる他の剥離シートおよびその使用例を示す説明図である。
【図３】（イ）〜（ハ）は本発明の剥離剤含有インクジェットインクによる剥離層が形成されてなる他の剥離シートおよびその使用例を示す説明図である。
【符号の説明】
１Ａ、１Ｂ、１Ｃ　本発明の剥離シート
２　シート基材
３、３Ａ、９　剥離層
４、１０　皮膜
５　水性インク
６　文字
７　図形
８Ａ、８Ｂ、８Ｃ　枠
【図１】
2004083760.tif 000003
【図２】
2004083760.tif 000004
【図３】
2004083760.tif 000005